(57)【要約】【課題】電子機器等の電磁界を、コンピュータを用いて解析する電磁界シミュレータにおいて、少ないメモリ資源で、ＥＭＣ設計に必要な解析を的確に行い、高度なスキルを有する技術者でなくてもＥＭＣ対策を実施できるようにする。【解決手段】ＣＡＤデータより配置情報を読み込むＣＡＤデータ読み取り手段２と、電気的特性を設定する電気的特性設定手段３と、ノイズ発信源を設定する励振源設定手段４と、前記各手段による情報に基づき電界強度を解析する電界強度解析手段５と、電界強度基準値を設定するＥＭＣ基準値設定手段６と、前記電界強度解析手段による解析結果に基づき電界強度の共振点を求め当該共振点の電界強度と前記電界強度基準値とを比較し危険周波数を抽出する危険周波数抽出手段７と、危険周波数抽出手段７の結果に基づき当該電界強度基準値以上となる危険周波数を表示手段８により表示できるようにした。【選択図】図１
2010146096.tif 000002
【特許請求の範囲】
【請求項１】
機器より発生する電磁界強度を、コンピュータを用いて解析する電磁界シミュレータであって、
機器を構成する部品の配置情報および配線情報を設定可能な物理的情報設定手段と、
前記部品の電気的特性を設定する電気的特性設定手段と、
ノイズ発信源を設定する励振源設定手段と、
前記各手段により設定した情報に基づき電磁界強度を解析する電磁界強度解析手段と、
基準となる電磁界強度を設定する電磁界強度基準値設定手段と、
前記電磁界強度解析手段により解析した電磁界強度の周波数特性に基づき共振周波数を求め、当該共振周波数の電磁界強度のうち前記電磁界強度基準値を超える危険周波数を抽出する危険周波数抽出手段と、
抽出された前記危険周波数ごとに電磁界強度分布を表示できる表示手段を設けたことを特徴とする電磁界シミュレータ。
【請求項２】
前記共振周波数は、周波数に対する電磁界強度の微分値の正負が反転する位置であって絶対値が所定の値以上の点として抽出するようにしたことを特徴とする請求項１記載の電磁界シミュレータ。
【請求項３】
前記励振源設定手段は、基本周波数と所定の立上り時間を有する台形波として設定し、
能動部品は当該台形波により発生する包括スペクトルを有する電流源とし、受動部品は前記包括スペクトルを有する電圧源とするようにしたことを特徴とする請求項１記載電磁界シミュレータ。
【請求項４】
前記危険周波数抽出手段により抽出された前記危険周波数ごとの電磁界強度分布から危険部位を抽出する危険部位抽出手段と、
前記危険部位抽出手段により抽出された危険部位近傍の部品を電気的に接続または移動し、当該接続または移動の前後の前記危険周波数または前記危険周波数に対する電磁界強度分布を表示できるようにしたことを特徴とする請求項１ないし請求項３いずれか記載の電磁界シミュレータ。
【発明の詳細な説明】
【技術分野】
【０００１】
本発明は、電子機器等が発生する電磁界ノイズを、コンピュータを用いて解析する電磁界シミュレータに関するものである。
【背景技術】
【０００２】
一般に、電磁界シミュレータはプリント配線板の設計データや、回路の設計データ、さらには筐体などの機構部位の設計データから得られる装置やプリント配線板の物理的な条件等を利用して、マクスウェルの方程式により数値解析することにより、電子機器、プリント配線板、電子部品等の近傍に発生する電磁界を解析し、目に見ることができない電磁界をコンピュータの画面上に可視化できるようになっている（例えば、特許文献１参照）。
【特許文献１】特開２００１−３１８９６１号公報
【発明の開示】
【発明が解決しようとする課題】
【０００３】
しかしながら、従来の電磁界シミュレータは、前述のように、電子機器、プリント配線板、電子部品等の近傍に発生する電磁界を解析できるものであり、装置から所定の距離離れた位置での電磁界ノイズの規制をクリアするための設計、すなわち電磁環境両立性（Ｅｌｅｃｔｒｏｍａｇｎｅｔｉｃ  Ｃｏｍｐａｔｉｂｉｌｉｔｙ；以下、「ＥＭＣ」という）設計に利用できるものではなかった。
【０００４】
その主な要因としては、ＥＭＣ設計のために電磁界ノイズを高精度に解析するには、ノイズ源の構造、動作周波数、回路動作時の信号動作などの電気的定義、ケーブルのたるみ、金属からなるメカ動作などの物理的定義等のシミュレーションモデルの微細化、さらには解析周波数範囲の広範囲化などを行う必要があるが、使用するシステムのメモリ資源等が有限であり、これらの所望とする定義をすることができず、その結果、実測値との差異が大きい場合が発生し、ＥＭＣ設計のための電磁界ノイズの予測が困難であった。
【０００５】
このため、上記従来の電磁界シミュレータでは、解析結果を参考として試作機を設計製造し、高度なスキルを有する技術者が電界強度の高いと思われる箇所について電磁界ノイズの放射を抑制する対策を試行錯誤して行い、試作機の設計製造を繰り返す必要があった。
【課題を解決するための手段】
【０００６】
本発明は、前述の課題を解決するために次の構成を採用する。すなわち、機器より発生する電磁界強度を、コンピュータを用いて解析する電磁界シミュレータであって、機器を構成する部品の配置情報および配線情報を設定可能な物理的情報設定手段と、前記部品の電気的特性を設定する電気的特性設定手段と、ノイズ発信源を設定する励振源設定手段と、前記各手段により設定した情報に基づき電磁界強度を解析する電磁界強度解析手段と、基準となる電磁界強度を設定する電磁界強度基準値設定手段と、前記電磁界強度解析手段により解析した電磁界強度の周波数特性に基づき共振周波数を求め、当該共振周波数の電磁界強度のうち前記電磁界強度基準値を超える危険周波数を抽出する危険周波数抽出手段と、抽出された前記危険周波数ごとに電磁界強度分布を表示できる表示手段を設けた。
【発明の効果】
【０００７】
本発明の電磁界シミュレータによれば、機器を構成する部品の配置情報および配線情報を設定可能な物理的情報設定手段と、前記部品の電気的特性を設定する電気的特性設定手段と、ノイズ発信源を設定する励振源設定手段と、前記各手段により設定した情報に基づき電磁界強度を解析する電磁界強度解析手段と、基準となる電磁界強度を設定する電磁界強度基準値設定手段と、前記電磁界強度解析手段により解析した電磁界強度の周波数特性に基づき共振周波数を求め、当該共振周波数の電磁界強度のうち前記電磁界強度基準値を超える危険周波数を抽出する危険周波数抽出手段と、抽出された前記危険周波数ごとに電磁界強度分布を表示できる表示手段を設けたので、少ないメモリ資源によりＥＭＣ上問題となる可能性のある共振周波数を抽出でき、確実な対策を実施することができる。
【発明を実施するための最良の形態】
【０００８】
以下、図面を参照して本発明による電磁界シミュレータの実施例を説明する。図面に共通する要素には同一の符号を付す。なお、以下の説明では、主として電界強度を解析するシミュレータとして説明するが磁界強度を解析するシミュレータに対しても同様に適用することができる。
【実施例１】
【０００９】
（構成）
図１は実施例１の電磁界シミュレータの機能構成図であり、図２は実施例１の電磁界シミュレータにより解析される仮想ＥＭＣ測定システムの構成図である。
【００１０】
図１に示したように、実施例１の電磁界シミュレータは、設計用ＣＡＤ（Ｃｏｍｐｕｔｅｒ  Ａｉｄｅｄ  Ｄｅｓｉｇｎ）システム１００からユニット２１、プリント配線板２２、筐体部品等の寸法や構造データ等を読み込むＣＡＤデータ読込手段２と、各部品等の導電率、誘電率、透磁率等を設定する電気的特性設定手段３と、電磁界ノイズ源（以下、「励振源」という）の設定および励振源の動作周波数ｆｏ（Ｈｚ）および立上り時間τ（ｓｅｃ）を設定する励振源設定手段４を有する。
【００１１】
なお、励振源としてはＣＰＵなどの電子部品やシールドされていないケーブルなどのノイズ発生源となる箇所に設定し、ＣＰＵなどの能動部品には電流源として、ケーブルなどの受動部品は電圧源として設定する。
【００１２】
さらに、実施例１の電磁界シミュレータは、以上の各手段により入力されたデータに基づきマクスウェルの方程式により電子機器全体を電磁波放射アンテナとして解析する電界強度解析手段５と、所定の観測位置における周波数に対する電界強度、すなわち電界強度の周波数特性等をグラフィカルに表示できる表示手段８を有している。
【００１３】
電界強度解析手段５による電磁界解析手法としては、所定の分割数にてセルに分割し各セルの電磁界の時間的変化を逐次計算するＦＤＴＤ法（Ｆｉｎｉｔｅ  Ｄｉｆｆｅｒｅｎｃｅ  Ｔｉｍｅ  Ｄｏｍａｉｎ  Ｍｅｔｈｏｄ：時間領域差分法）や、空間の離散点間を１次元線路と仮定し各格子点でホイヘンスの原理に基づく波動伝播を逐次的に解くＴＬＭ法（Ｔｒａｎｓｍｉｓｓｉｏｎ  Ｌｉｎｅ  Ｍａｔｒｉｘ  ＭｅｔｈｏｄまたはＴｒａｎｓｍｉｓｓｉｏｎ  Ｌｉｎｅ  Ｍｏｄｅｌｉｎｇ  Ｍｅｔｈｏｄ）や、マクスウェルの方程式から装置の構造に対する積分方程式を求め周波数領域にて解析するモーメント法などを用いればよい。
【００１４】
なお、以下の実施例の説明では、装置内の空間およびその周辺の空間をそれぞれ所定の分割数にて分割し各セルの電磁界の時間的変化を逐次計算するＦＤＴＤ法により電磁界解析を行う例として説明する。分割数としては、例えば、１ｍ×１ｍ×１ｍの解析空間を定義し、被測定装置周辺は１０ｍｍ×１０ｍｍ×１０ｍｍ程度の立法体セルで分割し、全体としては６ｍ×６ｍ×６ｍを６０ｍｍ×６０ｍｍ×６０ｍｍ程度の立法体セルで分割し、約２００万個程度のセルで分割して解析すればよい。なお、立方体セルにて分割するのではなく、ＣＡＤデータを極座標に変換し、前述と同程度の大きさで、極座標形式にて分割するようにしてもよい。
【００１５】
実施例１の電磁界シミュレータは、さらに、図２に示したように各国のＥＭＣ規格において要求されている基準であるところの装置中心から３ｍまたは１０ｍ離れた距離Ｌｚ（ＥＭＣ測定位置３０）での電界強度の規格値に基づきユーザーが設定する基準値を設定するＥＭＣ基準値設定手段６と、前記数値解析により得られた電界強度の結果から共振周波数であるピーク点を求め、求めたピーク点の電界強度と前記ＥＭＣ基準値とを比較し基準値以上の電界強度が発生している周波数を抽出する危険周波数抽出手段７を有している。
【００１６】
（動作）
以上の構成により実施例１の電磁界シミュレータは、以下のように動作する。この動作を図２の仮想ＥＭＣ測定システムの構成図および図３の実施例１の電磁界シミュレータの動作フローチャートを用いて以下詳細に説明する。
【００１７】
まず、ＣＡＤデータ読込手段２により、機構系やプリント配線板のＣＡＤシステム１００から被解析装置２０の機構データやプリント配線板の配線データ等の物理構造データを電磁界シミュレータ１に読み込む（ステップＳ０１）。なお、ＣＡＤシステム１００から読み込むのではなく、被解析装置２０の物理構造データを入力して作成できるようにしてもよいし、ＣＡＤシステム１００から読み込んだデータを編集して物理構造データを作成するようにしてもよい。
【００１８】
次に、生成された被解析装置の物理構造データに、電気的特性設定手段３により各部品の導電率、誘電率、透磁率等の電気的特性を入力して定義する（ステップＳ０２）。なお、ＣＡＤデータに電気的特性が付加されている場合はＣＡＤデータより電気的特性を読み込めむようにしてもよい。
【００１９】
次に、励振源設定手段４により電磁界ノイズの発生源となる励振源を設定しステップＳ０２にて生成したデータに追加する（ステップＳ０３）。
【００２０】
図２の例では、被測定装置２０内にユニット２１およびプリント配線板２２が設けられ、ユニット２１内にシールドされていないケーブルとして励振源１（２２ａ）、プリント配線板２２内のＣＰＵとして励振源２（２２ｂ）があるので、励振源設定手段４により励振源１（２２ａ）および励振源２（２２ｂ）をそれぞれの位置に追加する。
【００２１】
そして、ステップＳ０３にて設定された励振源毎に励振周波数ｆｏおよび励振信号の立上り時間τを入力する（ステップＳ０４）。このとき、励振源として立ち下がり時間も入力し、これらのデータに基づいた包括スペクトルにて励振源を表現するようにしてもよい。なお、動作周波数ｆ０、立上り時間τを設定しない場合では、一定のエネルギー値のホワイトノイズの周波数範囲を設定するようにすればよい。
【００２２】
ここで、電子機器で用いられるクロック信号は、通常、台形波となっており、例えば、周波数をｆ、振幅をＡ、周期をＴ、立上り・立下り時間がτの台形波とすると、その台形波により発生する包括スペクトルは、２０ｌｏｇ１０（Ａ）＋２０ｌｏｇ１０｜ｓｉｎ（πＴｆ／２）／（πＴｆ／２）｜＋２０ｌｏｇ１０｜ｓｉｎ（πτｆ）／（πτｆ）｜の３つの項の加算として表わされ、第１項の漸近線の傾きは０ｄｂ／ｄｅｃａｄｅで、２項目の漸近線の傾きは−２０ｄｂ／ｄｅｃａｄｅで、３項目の漸近線の傾きは−４０ｄｂ／ｄｅｃａｄｅであり、第１項と第２項は基本周波数に基づきｆ＝２ｆ０／πで交わり、第２項と第３項は立上り時間に基づきｆ＝１／（π・τ）で交わる。
【００２３】
以上より、被測定装置内の電気回路の動作周波数にあたる励振周波数ｆｏ、立上り時間τの台形波クロックのエネルギーに対して、図４に示すようなエネルギーが放射されることになる。すなわち、２ｆｏ／πまでは一定の値となり、２ｆｏ／π以上、１／（π・τ）までの周波数では−２０ｄＢ／ｄｅｃａｄｅで減衰し、１／（π・τ）以上の周波数では−４０／ｄｅｃａｄｅで減衰する値となる。これらの漸近線より定義されたホワイトノイズを励振源の信号として（ステップＳ０５）、電界強度解析手段５により電磁界解析を実行する（ステップＳ０６）
【００２４】
そして、電磁界解析の結果より被解析装置となる電子機器や電子機器に対して、図２に示したように被測定装置から水平方向にＬｚ＝３ｍまたは１０ｍ離れた観測箇所における電界強度の周波数特性を、一定の角度毎、例えば４５度ごとや９０度ごとの電界強度を求める。
【００２５】
図５は、解析結果として、縦軸を電界強度Ｅ（ｄＢμＶ／ｍ）、横軸を周波数ｆ（ＭＨｚ）とし、９０度ごとの電界強度をプロットした例であり、図２の仮想ＥＭＣ測定システムにおいてそれぞれの励振源にホワイトノイズを設定しＬｚ＝３ｍ位置における電界強度の例を示したものである。なお、ＥＭＣ評価において一般に実施される３ｍ法または１０ｍ法による解析を行うことが望ましいが、別の規格に基づきその他の距離にて観測するように設定しても勿論よい。
【００２６】
以上のように、解析によって得られた電界強度の周波数特性から、危険周波数抽出手段７により、電界強度が共振により尖鋭となる周波数（以下、「ピーク点」という）を抽出する（ステップＳ０７）。電界強度のピーク点の検出は、周波数に対する電界強度の微分値の正負が反転する位置であって絶対値が所定の値以上の点として抽出すればよい。このようにして抽出したピーク点の例を図５において●印で示している。図５においては、特にＥＭＣ評価において、問題となりやすい３００ＭＨｚ以下の周波数に着目して抽出している。
【００２７】
さらに、危険周波数抽出手段７により、抽出したピーク点の周波数毎に、ＥＭＣにおける電界強度の基準値を超える電界強度であるかを判定し（ステップ０８）、ＥＭＣ基準値設定手段６により設定した基準値を超える周波数を危険周波数として抽出して（ステップＳ０９）、危険周波数リストに追加し（ステップＳ１０）、ステップＳ０７にて抽出したすべてのピーク点の周波数について同様の判定を行い（ステップＳ１１）、作成した危険周波数リストを表示手段８にて表示する（ステップ１２）。
【００２８】
この危険周波数リストの表示例を図６に示す。同図に示したように、設定したＥＭＣ基準値を超える危険周波数とその電界強度と測定箇所の角度を表示し、改善が必要である旨をガイダンス表示する。
【００２９】
そして、例えば、Ｎｏ．００２の１４０ＭＨｚが選択され、電界分布確認ボタン１０１が押下されると、図７に示したように、周波数１４０ＭＨｚの電界強度の分布を表示する。なお、図７は、被測定装置２０からのＥＭＣ測定範囲を上から見た図で、電界強度が高い位置は大きな円で表示して電界強度分布を表わすようにしている。勿論、電界強度が同じエリアを示す等高線として表示するようにしてもよい。このように危険な周波数成分、この場合は１４０ＭＨｚの周波数成分が集中的に発生している箇所を明確に表示することができるので、問題となる箇所を効率よく対策することができる。
【００３０】
以上説明したように、ノイズ源を励振源として動作周波数および立上り時間に基づく周波数特性によりノイズ源が有するエネルギーを定義し、ＣＡＤ設計データを利用し物理的構造による反射を解析するとともに、被測定装置の共振周波数を抽出できるようにしたのでＥＭＣ上問題となる可能性の高い周波数およびその放射箇所を知ることができる。
【００３１】
すなわち、微細化されたデータを用いて実際の動作に即した電磁界を解析するのでなく、装置を構成する金属物による電磁波の共振とノイズ源のエネルギー成分を利用して、共振による電磁界強度を予測するようにしているので、膨大なメモリ資源を要することなく、ＥＭＣに関する必要な情報を効率よく得ることができる。
【００３２】
（実施例１の効果）
以上説明した実施例１の電磁界シミュレータによれば、ＣＡＤデータより配置情報を読み込むＣＡＤデータ読み取り手段と、電気的特性を設定する電気的特性設定手段と、ノイズ発信源を設定する励振源設定手段と、前記各手段による情報に基づき電界強度を解析する電界強度解析手段と、電界強度基準値を設定するＥＭＣ基準値設定手段と、前記電界強度解析手段による解析結果に基づき電界強度の共振点を求め当該共振点の電界強度と前記電界強度基準値以上の危険周波数を抽出する危険周波数抽出手段と、危険周波数抽出手段の結果に基づき当該電界強度基準値以上となる危険周波数を表示できるようにしたので、少ないメモリ資源によりＥＭＣ上問題となる可能性のある共振周波数を抽出でき、確実な対策を実施することができる。  
【実施例２】
【００３３】
（構成）
一般に、実機にてＥＭＣ評価を行い、ＥＭＣ規格をクリアできない場合、経験則から電解強度が高いと推定した箇所の部品間を、板ばねやアース線或いはＥＭＩガスケットと称される導電性の布を巻き付けたスポンジなどで導通させたり、機構構造を変更して金属ブラケットなどで導通させたりすることにより局所的な電磁界の放射を減らしＥＭＣ規格値をクリアするようにしている。
【００３４】
実施例２の電磁界シミュレータでは、以上の経験則に基づき、実施例１の電磁界シミュレータと同様、共振によりピーク点として危険周波数を抽出し、当該危険周波数に関する電磁界シミュレーションの結果から金属部品間で電界強度が大きい箇所を自動抽出する危険部位抽出手段１１を設け、抽出した箇所をリスト化或いはグラフィカルに表示できるようにしている。
【００３５】
さらに、危険部位抽出手段１１にて抽出した箇所の金属部品間を自動抽出し、当該部品間を接続する部品間接続手段１２を備えている。また、実施例２の電磁界シミュレータの表示手段８では、後述する図１０のように、部品間の導通をさせたり部品位置を変更したりした変更前後のシミュレーション結果の差異をグラフィカルに表示できるようになっている。
【００３６】
その他の構成は、実施例１と同様であるので、簡略化のためにその詳細な説明を省略する。
【００３７】
（動作）
以上の構成により実施例２の電磁界シミュレータは、以下のように動作する。この動作を図９の実施例２の電磁界シミュレータの動作フローチャートを用いて以下詳細に説明する。
【００３８】
まず、実施例１の電磁界シミュレータと同様に、被測定装置から放射される電磁界強度を解析し、ＥＭＣ測定位置に相当する位置での電界強度の周波数特性より共振周波数である危険周波数の候補を抽出し、図６に示したように設定したＥＭＣ基準値以上のものを危険周波数として抽出してリストアップする（ステップＳ２０）。
【００３９】
そして、危険周波数がない場合（ステップＳ２１）は、後述のステップＳ３０に進む。一方、危険周波数がある場合は、ステップＳ２０にてリストアップされた危険周波数より電界強度を解析する周波数が選択され（ステップＳ２２）、対策を検討すると指定された場合は（ステップＳ２３）、当該危険周波数における電界強度を解析し、電界強度分布を求める（ステップＳ２４）。
【００４０】
そして、解析された電界強度分布の結果より、電界強度が所定の値以上あり、かつ、周囲の金属部品同士が接続可能な場合、例えば、金属部品の間隔が数１０ｍｍ以下の箇所を決定し、図１０（ａ）の接続箇所２００としてコンピュータ上にグラフィカルに示す（ステップＳ２５）。
【００４１】
そして、自動で対策すると指定された場合は（ステップＳ２６）、接続箇所２００として示された接続可能な部品から装置設計として接続可能な部品を選択し当該部品の周辺を仮想的に接続するように変更する（ステップＳ２７）。或いは、操作により対策すると指定された場合は（ステップＳ２６）、表示された電界強度分布および接続箇所２００を参考にして、仮想的に部品を移動したり金属部品間を接続したりして、金属部品の間隙を塞ぐように導通させる（ステップＳ２８）。
【００４２】
以上のように、ステップＳ２２からＳ２８をすべての危険周波数について行い（ステップＳ２９）、設計変更された物理構造データを元に、再度、電磁界シミュレーションを行い、危険周波数を抽出する（ステップＳ２０）。
【００４３】
そして、危険周波数が抽出されなかった場合で（ステップＳ２１）、ステップＳ２７またはＳ２８の電界強度低減対策が実施された場合は（ステップＳ３０）、図１０（ａ）、（ｂ）に示したように、対策前後の電界強度分布を表示しその効果を確認できるようにし（ステップＳ３１）、ステップＳ２７またはＳ２８の電界強度低減対策が実施されていないときは、図１０（ａ）のみを解析結果として表示して確認できるようにする（ステップＳ３２）。
【００４４】
なお、ステップＳ２７またはＳ２８にて電界強度低減対策を実施したときに、都度、対策前と対策後の危険周波数リストや図１０に示したような対策前と対策後の電界強度分布を表示し比較できるようにするとなおよい。
【００４５】
以上の動作を、危険周波数がなくなり、電磁界ノイズの電界強度が所望とする値以下になるまで繰り返す。
【００４６】
（実施例２の効果）
以上説明したように実施例２の電磁界シミュレータによれば、危険周波数抽出手段により抽出された前記危険周波数ごとの電磁界強度分布から危険部位を抽出する危険部位抽出手段と、前記危険部位抽出手段により抽出された危険部位近傍の部品を電気的に接続または移動し、当該接続または移動の前後の前記危険周波数または前記危険周波数に対する電磁界強度分布を表示できるようにしたので、高度なスキルを有する技術者でなくとも、簡単にＥＭＣ対策を実施することができる。
【産業上の利用可能性】
【００４７】
本発明は、電子機器等が発生する電磁界強度を、コンピュータを用いて解析する電磁界シミュレータに広く用いることができる。
【図面の簡単な説明】
【００４８】
【図１】実施例１の電磁界シミュレータの機能構成図である。
【図２】仮想ＥＭＣ測定システムの構成例である。
【図３】実施例１の電磁界シミュレータの動作フローチャートである。
【図４】実施例１の電磁界シミュレータの励振源のエネルギー特性である。
【図５】実施例１の電磁界シミュレータの電界強度の周波数特性の解析例である。
【図６】実施例１の電磁界シミュレータの危険周波数表示例である。
【図７】実施例１の電磁界シミュレータの危険周波数の電磁界分布表示例である。
【図８】実施例２の電磁界シミュレータの機能構成図である。
【図９】実施例２の電磁界シミュレータの動作フローチャートである。
【図１０】実施例２の電磁界シミュレータの危険周波数の電磁界分布の比較表示例である。
【符号の説明】
【００４９】
１  電磁界シミュレータ
２  ＣＡＤデータ読取手段
３  電気的特性設定手段
４  励振源設定手段
５  電界強度解析手段
６  ＥＭＣ基準値設定手段
７  危険周波数抽出手段
８  表示手段
１１  危険部位抽出手段
１２  部品間接続手段
１００  ＣＡＤシステム（ＣＡＤデータ）
２０  被測定装置
Ｌｚ  ＥＭＣ測定距離
【図１】
2010146096.tif 000003
【図２】
2010146096.tif 000004
【図３】
2010146096.tif 000005
【図４】
2010146096.tif 000006
【図５】
2010146096.tif 000007
【図６】
2010146096.tif 000008
【図７】
2010146096.tif 000009
【図８】
2010146096.tif 000010
【図９】
2010146096.tif 000011
【図１０】
2010146096.tif 000012